(57)【要約】      （修正有）【課題】設置作業を容易に行うことができる防災機器用プロテクタを提供する。【解決手段】防災機器用プロテクタ１は、設置状態において、防災機器３０と取付面Ｗとの間に設けられるベース部１０と、防災機器３０の露出部分を保護する保護網部２４を有するプロテクタ部と、を備え、ベース部１０は、外周縁部に２つのナット部を有し、プロテクタ部は、保護網部２４から外側に向かって延出する２つの平板部２２が設けられ、平板部２２であって、ナット部に対向する位置にそれぞれネジ挿通穴を有し、ネジ挿通穴は、設置状態において、一方は下方に向かって開放する第１ネジ挿通穴２２ｂであり、他方は第１ネジ挿通穴２２ｂとは異なる向きに開放する第２ネジ挿通穴ａである。【選択図】図６
2016024526.tif 000002
【特許請求の範囲】
【請求項１】
取付面に取り付けられる防災機器を保護する防災機器用プロテクタであって、
該防災機器用プロテクタは、設置状態において、前記防災機器と前記取付面との間に設けられるベース部と、前記防災機器の露出部分を保護する保護網部を有するプロテクタ部と、を備え、
前記ベース部は、外周縁部に２つのナット部を有し、
前記プロテクタ部は、該保護網部から外側に向かって延出する２つの平板部が設けられ、該平板部であって、前記ナット部に対向する位置にそれぞれネジ挿通穴を有し、
該ネジ挿通穴は、設置状態において、一方は下方に向かって開放する第１ネジ挿通穴であり、他方は前記第１ネジ挿通穴とは異なる向きに開放する第２ネジ挿通穴であることを特徴とする防災機器用プロテクタ。
【請求項２】
取付面に取り付けられる防災機器を保護する防災機器用プロテクタであって、
該防災機器用プロテクタは、設置状態において、前記防災機器と前記取付面との間に設けられるベース部と、前記防災機器の露出部分を保護する保護網部を有するプロテクタ部と、からなり、
前記ベース部は、前記取付面の背面から引き出される信号線を接続した前記防災機器を挿通する開口部を有し、
該開口部が当該ベース部の外方へと開放するように、前記開口部から連続して設けられるスリット部を備えることを特徴とする防災機器用プロテクタ。
【請求項３】
前記ベース部は、プロテクタ部が当接する少なくとも１つ以上の凸部が設けられることを特徴とする請求項１又は２記載の防災機器用プロテクタ。
【発明の詳細な説明】
【技術分野】
【０００１】
本発明は、機器を外力から保護するためのプロテクタに関し、特に、火災感知器、発信機、及び発信機の近傍に設けられる表示灯等の防災機器を外力から保護する防災機器用プロテクタに関するものである。
【背景技術】
【０００２】
火災感知器、発信機、表示灯等の防災機器は、天井面又は壁面に露出して設けられることが一般的である。しかし、防災機器に外力が加わる可能性が高い場所、例えば、ボール等が当たることが考えられる体育館等では、外力から防災機器を保護するために、防災機器に格子状の金属からなるプロテクタを設けることがある。（特許文献１参照）。
【０００３】
ここで、防災機器とプロテクタの設置手順を、図７に基づいて説明する。ここでは、防災機器を発信機３０として説明する。
先ず、発信機３０の本体部３２をベース１１０の開口部１１４に挿通し、壁面Ｗの開口部Ｗｃから引き出した図示しない信号線を、発信機３０の本体部３２背面に設けられる図示しない信号線接続部に接続する。
【０００４】
次に、発信機３０の本体部３２を、壁面Ｗの開口部Ｗｃに挿通する。発信機３０の前面部３４に設けられている前面カバー３５を取り外すと、前面部３４の内部であって、ベース１１０の切込み部１１６ａ及び１１６ｂ並びに壁面Ｗのネジ穴Ｗａ及びネジ穴Ｗｂと対向する位置に、図示しない発信機取付用ネジ挿通孔が設けられている。その発信機３０の前面部３４内の発信機取付用ネジ挿通孔に図示しない発信機取付用ネジを挿通し、さらに該発信機取付用ネジをベース１１０の切込み部１１６ａ及び１１６ｂに挿通し、壁面Ｗに設けられているネジ穴Ｗａ及びネジ穴Ｗｂに締結させる。これにより、発信機３０はベース１１０を介して壁面Ｗに設置される。
【０００５】
最後に、ベースの外周縁部に設けられるナット部１１２ａ及びナット部１１２ｂと、プロテクタ１２０に設けられるネジ挿通穴１２２ａ及びネジ挿通穴１２２ｂの位置を合わせて、ネジ４０ａ及びネジ４０ｂとナット部１１２ａ及び１１２ｂとを締結する。これにより、発信機３０の前面側にプロテクタ１２０を設けることができる。
【先行技術文献】
【特許文献】
【０００６】
【特許文献１】特開平１１−０１６０６１号公報
【発明の概要】
【発明が解決しようとする課題】
【０００７】
しかしながら、図７に示したプロテクタ１２０を発信機３０に設置する場合、先ず発信機３０に壁面Ｗの開口部Ｗｃから引き出した信号線を接続する必要がある。そのため、作業者は、開口部Ｗｃから引き出した信号線を、ベース１１０の開口部１１４内を挿通させた状態で、発信機３０の信号線接続部に接続しなければならないため、作業が大変であるという問題があった。また、ベース１１０の開口部１１４内に発信機３０の本体部３２を挿通させた状態で、開口部Ｗｃから引き出した信号線を発信機３０に接続したとしても、発信機３０及びベース１１０の両方を持ちながら信号線の接続作業を行う必要があるので、作業が大変であった。
【０００８】
また、プロテクタ１２０をベース１１０に取り付ける際に、ナット部１１２ａ及びナット部１１２ｂと、プロテクタ１２０に設けられるネジ挿通穴１２２ａ及びネジ挿通穴１２２ｂの位置を合わせながら、ネジ４０ａ及びネジ４０ｂによってプロテクタ１２０をベース１１０に螺着させる必要があり、作業が大変であるという問題があった。
【０００９】
本発明はかかる課題を解決するためになされたものであり、設置作業を容易に行うことができる防災機器用プロテクタを提供することを目的とする。
【課題を解決するための手段】
【００１０】
本発明は、取付面に取り付けられる防災機器を保護する防災機器用プロテクタであって、該防災機器用プロテクタは、設置状態において、前記防災機器と前記取付面との間に設けられるベース部と、前記防災機器の露出部分を保護する保護網部を有するプロテクタ部と、を備え、前記ベース部は、外周縁部に２つのナット部を有し、前記プロテクタ部は、該保護網部から外側に向かって延出する２つの平板部が設けられ、該平板部であって、前記ナット部に対向する位置にそれぞれネジ挿通穴を有し、該ネジ挿通穴は、設置状態において、一方は下方に向かって開放する第１ネジ挿通穴であり、他方は前記第１ネジ挿通穴とは異なる向きに開放する第２ネジ挿通穴であることを特徴とするものである。
【００１１】
また、本発明は、取付面に取り付けられる防災機器を保護する防災機器用プロテクタであって、該防災機器用プロテクタは、設置状態において、前記防災機器と前記取付面との間に設けられるベース部と、前記防災機器の露出部分を保護する保護網部を有するプロテクタ部と、からなり、前記ベース部は、前記取付面の背面から引き出される信号線を接続した前記防災機器を挿通する開口部を有し、該開口部が当該ベース部の外方へと開放するように、前記開口部から連続して設けられるスリット部を備えることを特徴とするものである。
【発明の効果】
【００１２】
本発明は、防災機器用プロテクタの保護網部に設けられる２つのネジ挿通穴を、一方は設置状態において下方に向かって開口させ、他方は外方に向かって開口させるようにしたため、ベース部のナット部と、保護網部のネジ挿通穴をネジで螺着させる際に、ネジを先にナット部に仮留めし、仮留めしたネジにネジ挿通穴を係止することで、保護網部をベース部に取り付けることができる。即ち、防災機器用プロテクタの設置作業を行うにあたり、保護網部と、該保護網部をベース部に取り付けるためのネジとを一緒に持つことなく、保護網部をベース部に取り付けることができるので、防災機器用プロテクタの設置作業が容易になる。
【００１３】
また、本発明は、ベース部に、中央の開口部からベース部の外方へと開放させるスリット部を設けたので、取付面の背面から取り出した信号線を防災機器に接続してから、ベース部の中央部の開口部に防災機器を挿通することができる。即ち、防災機器用プロテクタの設置作業を行うにあたり、防災機器とベース部とを一緒に持つことなく、防災機器に信号線を接続することができるので、防災機器用プロテクタの設置作業が容易になる。
【図面の簡単な説明】
【００１４】
【図１】本発明の実施の形態に係る防災機器及び防災機器用プロテクタの分解斜視図である。
【図２】本発明の実施の形態に係る防災機器用プロテクタのプロテクタ部の正面図である。
【図３】本発明の実施の形態に係るベース部及び防災機器の取り付け方を示す斜視図である。
【図４】本発明の実施の形態に係るベース部及びプロテクタ部の取り付け方を示す正面図斜視図である。
【図５】本発明の実施の形態に係るベース部にプロテクタ部を取り付けた状態における平面図である。
【図６】本発明の実施の形態に係る防災機器用プロテクタの設置状態における正面図である。
【図７】従来の防災機器及び防災機器用プロテクタの分解斜視図である。
【発明を実施するための形態】
【００１５】
図１を参照して、防災機器用プロテクタの一例である発信機用プロテクタ１の構成について説明する。なお、図１を含め、以下の図面においては、各構成部材同士の大きさの関係を限定するものではなく、実際のものとは異なる場合がある。また、以下の図面における上下は、紙面から見た上下と対応している。
【００１６】
・実施の形態
＜発信機用プロテクタ１の構成＞
発信機用プロテクタ１は、ベース部１０と、プロテクタ部２０と、からなり、防災機器の一例としての発信機３０を保護するものである。発信機３０は、ベース部１０を介して壁面Ｗ（取付面）に取り付けられ、発信機３０の前面側からプロテクタ部２０が被さるように設置される。
以下、発信機３０及び発信機用プロテクタ１の各構成を詳述する。
【００１７】
［発信機３０］
図１を参照して、発信機３０の構造について説明する。
発信機３０は、火災時に押下する押釦３６を有し、押釦３６が押下されると、図示しない火災受信機に火災信号を出力するものである。
発信機３０は、本体部３２と、前面部３４とからなる。
【００１８】
本体部３２は、断面矩形状の箱体からなり、内部に発信機３０を制御する基板等が組み込まれている。さらに、壁面Ｗの開口部Ｗｃから引き出された信号線Ｌを接続する信号線接続部を有する。そして、設置状態において、本体部３２は壁面Ｗに設けられる矩形上の開口部Ｗｃに挿通される。
【００１９】
前面部３４は、円形で赤色の前面カバー３５で覆われており、前面カバー３５の開口部に押釦３６が位置している。前面カバー３５を取り外すと、前面部３４には、発信機３０を壁面Ｗに固定するための図示しない発信機取付用ネジ挿通穴が２箇所設けられている。該発信機取付用ネジ挿通穴は、前面部３４の外周部における左右に１箇所ずつ設けられる。前面部３４の発信機取付用ネジ挿通穴を挿通した発信機取付用ネジは、後述するベース部１０の切込み部１６ａ、１６ｂにそれぞれ挿通され、壁面Ｗのネジ穴Ｗａ、Ｗｂにそれぞれ固定される。
【００２０】
［ベース部１０］
図１を参照して、ベース部１０の構造について説明する。
ベース部１０は金属からなる円板状の平板であり、壁面Ｗに固定されると共に、発信機３０及びプロテクタ部２０を固定するものである。
【００２１】
ベース部１０は、中央部に、発信機３０の本体部３２が挿通される矩形の開口部１４を有している。ベース１４に設けられる矩形の開口部１４の２つの縦辺には、縦辺の中心部から水平方向かつ外方に向かう切込み部１６ａ、１６ｂが設けられている。切込み部１６ａ、１６ｂは、発信機３０の前面部３４に設けられる発信機取付用ネジ挿通穴に挿通される発信機取付用ネジが、さらに挿通される部分であり、切込み部１６ａを挿通した発信機取付用ネジは壁面Ｗのネジ穴Ｗａに固定され、切込み部１６ｂを挿通した発信機取付用ネジは壁面Ｗのネジ穴Ｗｂに固定される。即ち、発信機３０に設けられる２つの発信機取付用ネジ挿通穴、ベース部１０の切込み部１６ａ、１６ｂ及び壁面Ｗのネジ穴Ｗａ、Ｗｂは、それぞれが対向する位置に設けられることになる。
【００２２】
ベース部１０は、左右の外周縁部それぞれにナット部１２ａ、１２ｂを有している。また、ベース部１０は、ベース部の中央部を中心として、ナット部１２ａ、１２ｂを通る円と同軸であって、少し内側の円周上に、それぞれ少なくとも１つ以上の凸部１８を有している。即ち、凸部１８は、ベース部１０の外周縁部であって、ナット部１２ａ、１２ｂの間にそれぞれ少なくとも１つ以上設けられる。本発明に係る実施の形態では、凸部１８は設置状態において、上下に１つずつ設けられているとして説明する。そして、凸部１８の高さは、ベース部１０のナット部１２ａ、１２ｂの高さより、後述するリング状部材２４ａの厚み分だけ短い長さとなっている（図５参照）。また、凸部１８は、断面台形状の錐台であり、凸部１８の上面は平面になっている。以下、凸部１８の形状は円錐台であるとして説明する。
【００２３】
ベース部１０は、開口部１４からベース部１０の外方に開放されるスリット部１７を有している。ここでは、スリット部１７は、略長方形である開口部１４の下方の頂点部から斜め下に向かって開放されているものとして説明するが、スリット部１７は開口部１４からベース部１０の外方に開放されるものであれば、どこでも良い。また、スリット１７の幅は、数本が束になった信号線Ｌの径より広めに設定されれば良く、例えば１ｃｍ程度の幅となっている。
【００２４】
［プロテクタ部２０］
図１及び図２を参照して、プロテクタ部２０の構造について説明する。
プロテクタ２０は、ベース部１０に固定され、発信機３０の前面部３４を覆うことで保護するものである。プロテクタ２０は、金属からなる保護網部２４と、保護網部２４の外周部から延出する２つの平板部２２とからなる。
【００２５】
保護網部２４は、３つのリング状部材を有し、設置時においてベース部１０に近い方から、リング状部材２４ａ、リング状部材２４ｂ、リング状部材２４ｃとなっている。これらリング状部材２４ａ、２４ｂ、２４ｃをＬ字状部材２４ｄで固定することで、保護網部２４が形成されている。リング状部材２４ａ、２４ｂは径が発信機３０の前面部より大きく、さらに、リング状部材２４ａの径は、ベース部１０の凸部１８同士を結ぶ直線とほぼ同じ長さである。即ち、リング状部材２４ａは、ベース部１０の中央を中心として、凸部１８同士を結ぶ円とほぼ同じ大きさである。
また、リング状部材２４ｃは径が発信機３０の前面部３４より小さく構成される。これにより、発信機３０の前面部３４（壁面Ｗからの露出部分）を保護することができる。
【００２６】
ベース部１０に近いリング状部材２４ａは、２つの平板部２２を有しており、これらは対向する位置に設けられている。平板部２２には、ベース部１０のナット部１２ａ、１２ｂに螺着されるネジ４０ａ、４０ｂが挿通されるネジ挿通穴２２ａ、２２ｂをそれぞれ有している。即ち、ネジ挿通穴２２ａ、２２ｂは、設置状態において、ベース部１０のナット部１２ａ、１２ｂに対応する位置に設けられている。
【００２７】
ネジ挿通穴２２ａは、閉鎖された穴ではなく、上下方向以外の方向であり、かつ外方に向かって、開放している穴である（第２ネジ挿通穴）。図１及び図２においては、ネジ挿通穴２２ａは、水平方向かつ外方に向かって開放しており、より具体的には右方向だけ開放された形状の穴をなしている。
【００２８】
一方、ネジ挿通穴２２ｂも、ネジ挿通穴２２ａと同様に閉鎖された穴ではなく、ネジ挿通穴２２ｂは、上下方向のどちらか一方に向かって開放する穴である（第１ネジ挿通穴）。図１及び図２においては、ネジ挿通穴２２ｂは下方向に開放された形状の穴をなしている。
即ち、ネジ挿通穴２２ａ、２２ｂは、共に外側に向かって開放する形状の穴であるが、その開放する向きがネジ挿通穴２２ａとネジ挿通穴２２ｂとでは異なっている。
【００２９】
＜発信機用プロテクタ１の設置手順＞
発信機３０及び発信機用プロテクタ１を壁面Ｗに設置する手順は、大きく分けて２段階ある。１段階目は、発信機３０及びベース部１０を壁面Ｗへ取り付けることである。そして、２段階目は、プロテクタ部２０をベース部１０へ取り付けることであり、これにより発信機３０及び発信機用プロテクタ１の壁面Ｗへの設置が完了する。以下、発信機３０及び発信機用プロテクタ１を壁面Ｗに設置する手順について詳述する。
【００３０】
［発信機３０及びベース部１０の壁面Ｗへの取り付け（１段階目）］
先ず、図１及び図３に基づいて、発信機３０及びベース部１０の壁面Ｗへの取り付けについて説明する。
発信機３０及び発信機用プロテクタ１を設置する者（以下、設置者）は、先ず、発信機３０を、前面カバー３５を取り外した状態で手に取り、壁面Ｗの開口部Ｗｃから引き出した信号線Ｌを発信機３０背面の本体部３２に設けられる信号線接続部に接続する。
【００３１】
次に、設置者は、信号線Ｌを接続した発信機３０に加えてベース部１０を手に取り、図３に示すように、ベース部１０のスリット部１７に信号線Ｌを通し、ベース部１０の開口部１４内を信号線Ｌが通る状態にする。そして、発信機３０の本体部３２をベース部１０の開口部１４に挿通し、その状態で本体部３２をさらに壁面Ｗの開口部Ｗｃに挿通する。
【００３２】
最後に、発信機３３の前面部３４に設けられている図示しない２つの発信機取付用ネジ挿通穴に図示しない２つの発信機取付用ネジをそれぞれ挿通する。発信機取付用ネジは、発信機３０のそれぞれの発信機取付用ネジ挿通穴を通り、そして、ベース部１０の切込み部１６ａ、１６ｂをそれぞれ通り、壁面Ｗのネジ穴Ｗａ、Ｗｂにそれぞれネジ留めされる。そして、発信機３０に前面カバー３５を取り付ける。これにより、発信機３０は、ベース部１０を介して壁面Ｗに設置される。
【００３３】
［プロテクタ部２０のベース部１０への取り付け（２段階目）］
次に、図１、図４乃至６に基づいて、プロテクタ部２０のベース部１０への取り付けについて説明する。
先ず、設置者は、壁面Ｗに既に取り付けられているベース部１０のナット部１２ａにネジ４０ａを半分ほど仮留めする。ここで言う仮留めとは、ネジ４０ａの頭部がナット部１２ａに接しないように、ネジ４０ａを半分程度締めた状態を言う。ナット部１２ｂに対しても、同様にネジ４０ｂを仮留めする。
【００３４】
次に、設置者はプロテクタ部２０を手に取り、設置状態においてプロテクタ部２０の右側に設けられ、右方向に開放されている穴を有するネジ挿通穴２２ａを、ナット部１２ａに仮留めしているネジ４０ａに係止する。より詳細に説明すると、設置者は、図４のようにプロテクタ部２０をネジ挿通穴２２ａの開口部側が下側にくるようにして、矢印Ａ１の方向（下方）にプロテクタ部２０を移動させて、ネジ挿通穴２２ａをネジ４０ａに係止する。
【００３５】
次に、設置者は、プロテクタ部２０を、ネジ４０ａを回転軸として、図４の矢印Ａ２のように左方向に回転させて、下方向に向かって開放する穴を有するネジ挿通穴２２ｂをネジ４０ｂに係止させる。この状態で、設置者はプロテクタ部２０から手を離すことができる。
【００３６】
なお、図４の矢印Ａ２のように、ネジ挿通穴２２ａを軸としてプロテクタ部２０を回転させるときに、プロテクタ部２０の保護網部２４のうち、ベース部１０に近いリング状部材２４ａが、断面台形の凸部１８のテーパ面にガイドされるので、プロテクタ部２０のネジ挿通穴２２ｂを、仮留めしているネジ４０ｂに係止しやすくなる。
【００３７】
最後に、仮留めしていたネジ４０ａ、４０ｂをしっかりと締結し、プロテクタ部２０の取り付けが完了する。この状態で、プロテクタ部２０の保護網部２４のうち、ベース部１０に近いリング状部材２４ａが凸部１８の上面に接することになる（図５参照）。
以上の手順により、発信機３０及び発信機用プロテクタ１の壁面Ｗへの設置が完了する（図６参照）。
【００３８】
＜発信機用プロテクタ１の効果＞
本発明に係る実施の形態では、ネジ挿通穴２２ａを水平方向かつ外方に向かって、開口している穴とし、ネジ挿通穴２２ｂを上下方向のどちらか一方に向かって開放する穴としたため、プロテクタ部１２０のネジ挿通穴１２２ａ、１２２ｂの位置をベース部のナット部１１２ａ、１１２ｂに位置に合わせた状態で、ネジ４０ａ、４０ｂを締める従来（図７参照）とは異なり、プロテクタ部２０のみを持ち、プロテクタ部２０をネジ４０ａ、４０ｂに載置した後は、ネジ４０ａ、４０ｂのみを持ち、ネジを締結するだけで済む。これにより、発信機用プロテクタ１の施工が容易になる。
【００３９】
さらに、プロテクタ部２０が設置されている状態からプロテクタ部２０を外す必要がある場合に、ネジ４０ａ、４０ｂを完全に外すことなく、少し弛めるだけでプロテクタ部２０を外すことができる。
【００４０】
さらに、ネジ挿通穴２２ａ、２２ｂの開放されている方向が異なるので、２つのネジ挿通穴が同じ方向（例えば、設置状態における下方向）に開放されている場合に比べ、外力を受けたときにも、プロテクタ部２０が外れる虞がなくなる。
【００４１】
また、本発明に係る実施の形態では、ベース部１０に、開口部１４からベース１０の外方に向かって開放するスリット１７を設けたので、ベース部１１０の開口部１１４に発信機３０の本体部３２を挿通した状態で、壁面Ｗの開口部Ｗｃから引き出した信号線Ｌを本体部３２の背面に接続する従来（図７参照）とは異なり、設置者は発信機３０だけを持ちながら、本体部３２に信号線Ｌを接続できる。これにより、発信機用プロテクタ１の施工が容易になる。
【００４２】
さらに、発信機３０のみが壁面Ｗに既に設置されている状態で、発信機用プロテクタ１を取り付ける必要がある場合に、発信機３０は壁面Ｗから取り外す必要があるが、発信機３０から信号線Ｌを外す必要はなく、ベース部１０を取り付けることができる。即ち、簡単に発信機用プロテクタ１を設置することができる。
【００４３】
さらに、発信機３０がベース部１０を介して壁面Ｗに設置されている状態から、ベース部１０を外す必要がある場合に、発信機３０と信号線Ｌとの接続を外すことなく、ベース部１０だけを取り外すことができる。
【００４４】
また、本発明に係る実施の形態では、ベース部１０の中央部を中心として、ナット部１２ａ、１２ｂを通る円と同軸であって、少し内側の円周上であり、かつナット部１２ａ、１２ｂの間にそれぞれ少なくとも１つ以上の凸部１８を設け、その凸部１８を円錐台形状としたので、ネジ挿通穴２２ａをネジ４０ａに係止した状態でプロテクタ部２０を矢印Ａ２の様に回転させるときに、リング状部材２４ａが凸部１８の上方に向かって縮径するテーパ状の側面にガイドされる。これにより、発信機用プロテクタ１の施工が容易になる。なお、本発明の実施の形態では凸部１８は２つあるものとして説明したが、ベース部１０の外周縁部の上方に１つあれば、プロテクタ部２０のリング状部材２４ａが凸部１８によりガイドされる。即ち、凸部１８は、ベース部１０であって、プロテクタ部２０のリング状部材２４ａと当接する位置に少なくとも１つ設けられていれば、プロテクタ部２０をガイドする機能を果たすことができる。
【００４５】
さらに、発信機用プロテクタ１の設置状態において、凸部１８の上面にリング状部材２４ａが当接するので、プロテクタ部２０の耐外力性の向上にも寄与している。
【００４６】
以上、発信機３０及び発信機用プロテクタ１について説明したが、本発明は発信機３０及び発信機用プロテクタ１だけに適用できるわけではなく、他の防災機器及び防災機器用プロテクタにも適用できる。より詳細には、壁面Ｗからの露出部分の厚さ（高さ）が薄い防災機器であれば良く、ナット部１２ａ、１２ｂの厚みの３倍以下の厚みの防災機器であれば良く、例えば、壁面Ｗからの露出部分の厚みが小さい薄型の表示灯や、火災感知器等がある。これらの表示灯や火災感知器であっても、本発明を適用することができ、発信機３０及び発信機用プロテクタ１の場合と同様の効果を得ることができる。
【符号の説明】
【００４７】
１  発信機用プロテクタ、１０  ベース部、１２ａ、１２ｂ  ナット部、１４  開口部、１６ａ、１６ｂ  切込み部、１７  スリット部、１８  凸部、２０  プロテクタ部、２２  平板部、２２ａ、２２ｂ  ネジ挿通穴、２４  保護網部、  ２４ａ、ｂ、ｃ  リング状部材、２４ｄ  Ｌ字状部材、３０  発信機、３２  本体部、３４  前面部、３５  前面カバー、３６  押釦、４０ａ、ｂ  ネジ、１１０  ベース部、１１２ａ、１１２ｂ  ナット部、１１４  開口部、１１６  切込み部、１２０  プロテクタ部、１２２ａ、１２２ｂ  ネジ挿通穴、Ａ１、Ａ２  矢印、Ｌ  信号線、Ｗ  壁面、Ｗａ、Ｗｂ  ネジ穴、Ｗｃ  開口部。
【図１】
2016024526.tif 000003
【図２】
2016024526.tif 000004
【図３】
2016024526.tif 000005
【図４】
2016024526.tif 000006
【図５】
2016024526.tif 000007
【図６】
2016024526.tif 000008
【図７】
2016024526.tif 000009